(57)【要約】      （修正有）【課題】素材に紙片を採用し、これを適切に組み立てて、オカリナとして遜色のないバランス式紙製オカリナを提供する。【解決手段】紙片Ａ、Ｂ、Ｃ、Ｄ、Ｅを組み立てることにより、周壁１、頂壁２及び底壁３からなる内空のほぼ閉じた柱状の共鳴胴部Ｘを構成し、その共鳴胴部Ｘに歌口５及び複数の指穴１２ａ、１２ｂ、１２ｃ、１２ｄ、１３ａを開口させるとともに、共鳴胴部Ｘの一部に吹き口４を連設して吹き口４から歌口５までの間に気道ＡＬを形成する。その際、周壁１を閉じるための紙片Ａ、Ｂ同士の継目が周壁１の正面１１、側面１２及び裏面１３の何れの面の中央部にも位置しないようにし、これにより周壁１の正面１１に歌口５を、側面１２に親指以外の指により開閉される指穴１２ａ、１２ｂ、１２ｃ、１２ｄを、裏面１３に親指により開閉される指穴１３ａを、それぞれ継目を避けて設ける。【選択図】図４
0003126336.tif 000002
【実用新案登録請求の範囲】
【請求項１】
紙片を組み立てることにより、周壁、頂壁及び底壁からなる内空のほぼ閉じた柱状の共鳴胴部を構成し、その共鳴胴部の周壁に歌口及び複数の指穴を開口させるとともに、共鳴胴部の一部に吹き口を連設して吹き口の開口端から歌口までの間に気道を形成するようにしたものであって、
周壁を閉じるための紙片同士の継目が周壁の正面、側面及び裏面の何れの面の中央部にも位置しないようにし、これにより周壁の正面に歌口を、側面に親指以外の指により開閉される指穴を、裏面に親指により開閉される指穴を、それぞれ継目を避けて設けたことを特徴とする紙製オカリナ。
【請求項２】
側面に左右の指それぞれ２本により開閉される指穴を２列に複数個づつ設け、裏面に左の親指により開閉される１個の指穴を設けて５ホールタイプとしている請求項１記載の紙製オカリナ。
【請求項３】
側面に左右の指それぞれ２本により開閉される指穴を２列に複数個づつ設け、裏面に左右の親指２本によりそれぞれ開閉される２個の指穴を設けて６ホールタイプとしている請求項１記載の紙製オカリナ。
【請求項４】
頂壁及び底壁が台形状をなし、周壁の正面、裏面及び側面がそれぞれ台形の上底、下底及び斜辺に沿った隣接位置に設けられて、全体が台形柱状をなしていることを特徴とする請求項１〜３何れかに記載の紙製オカリナ。
【請求項５】
頂壁及び底壁が円の端部を上弦及び下弦で切り取った部分円状をなし、周壁の正面、裏面及び側面がそれぞれ上弦、下弦及び円弧に沿った隣接位置に設けられて、全体が丸形柱状をなしていることを特徴とする請求項１〜３何れかに記載の紙製オカリナ。
【請求項６】
頂壁及び底壁が台形のコーナー部を斜辺の一部と下底の一部を結ぶ結線で切り取った六角形状をなし、周壁の正面、裏面及び側面が、それぞれ台形の上底に相当する部位、切り残された下底に相当する部位、切り残された斜辺及び上記結線に相当する部位に沿った隣接位置に設けられて、全体が六角柱状をなしていることを特徴とする請求項１〜３何れかに記載の紙製オカリナ。
【請求項７】
紙片を組み立てることにより、指穴及び歌口を有する共鳴胴部と、この共鳴胴部に連設される吹き口とを構成したものにおいて、
吹き口を、外方端より切り込まれた切欠を有する内側紙片を一対の外側紙片によって挟持するように厚み方向に重合させて、切欠の外方端が吹き口の開口端となり、切欠の内方端が歌口のエッジとなるようにし、その際に内側紙片を外側紙片よりも厚肉にし、或いは内側紙片と外側紙片との間にスペーサとして機能する補助紙片を介在させて、吹き口の開口端を拡開させていることを特徴とする紙製オカリナ。
【請求項８】
切欠を外方端に向かって逆台形状に拡開させていることを特徴とする請求項７記載の紙製オカリナ。
【請求項９】
吹き口が、内空を塞がないようにしてストローを脱着可能な開口寸法を有し、開口を介して吹き口の気道内にストローを挿入した状態で、ストローから歌口のエッジに向かって空気を吹き込めるようにしていることを特徴とする請求項７又は８記載の紙製オカリナ。
【請求項１０】
紙片を組み立てることにより、周壁、頂壁及び底壁からなる内空のほぼ閉じた共鳴胴部を構成し、その共鳴胴部の周壁に歌口及び複数の指穴を開口させるとともに、共鳴胴部の一部に吹き口を連設して吹き口の開口端から歌口までの間に気道を形成するようにしたものであって、
頂壁と周壁との間、及び底壁と周壁との間に糊しろを有しておらず、それらの突き合わせ辺をテーピングにより被覆していることを特徴とする紙製オカリナ。
【請求項１１】
紙片を組み立てることにより、周壁、頂壁及び底壁からなる内空のほぼ閉じた共鳴胴部を構成し、その共鳴胴部の周壁に歌口及び複数の指穴を開口させるとともに、共鳴胴部の一部に吹き口を連設して吹き口の開口端から歌口までの間に気道を形成するようにしたものであって、
少なくとも紙片の突き合わせ辺を被覆し得る位置にコーティング部を設けたことを特徴とする紙製オカリナ。
【請求項１２】
歌口、指穴及び吹き口の開口端を除き、共鳴胴部及び吹き口の表面全体にコーティング部を設けていることを特徴とする請求項１１記載の紙製オカリナ。
【請求項１３】
紙片を組み立てることにより、周壁、頂壁及び底壁からなる内空のほぼ閉じた共鳴胴部を構成し、その共鳴胴部の周壁に歌口及び複数の指穴を開口させるとともに、共鳴胴部の一部に吹き口を連設して吹き口の開口端から歌口までの間に気道を形成するようにしたものであって、
少なくとも周壁の正面及び側面を形成する第１の紙片と、少なくとも頂壁、周壁の裏面及び底壁を形成する第２の紙片とを組み付けて共鳴胴部を構成していることを特徴とする紙製オカリナ。
【請求項１４】
請求項１〜１３何れかに記載の紙製オカリナの製作に直接使用するものであって、共鳴胴部を構成するための第１の紙片及び第２の紙片と、この共鳴胴部に付帯される他の紙片とを備え、第１の紙片及び第２の紙片には少なくとも指穴となる部分及び歌口を構成する部分が予め加工され、他の紙片には少なくとも吹き口及び歌口を構成する部分が予め加工されていることを特徴とする紙製オカリナの製作ユニット。
【考案の詳細な説明】
【技術分野】
【０００１】
本考案は、オカリナとして遜色のない音域や音色、使い勝手の良さを実現したバランス式紙製オカリナ及びその製作ユニットに関するものである。
【背景技術】
【０００２】
管楽器の一つであるオカリナは、リコーダなどとともに、吹き口の開口端からエッジまでが固定されている点で、他のフルート等の管楽器と一線を画するものである。そして、かかる構造に因り、吹き口への空気の送り方に高度の熟練を要さず、吹けば比較的平易に音が出るため、子どもや初心者にも親しみ易い楽器となっている。
【０００３】
タイプ的には、イタリア式とバランス式に大別され、バランス式は指穴を塞ぐ組み合わせによって音階を作り出す仕組みであって、指穴が少ないために運指し易く、こもった深みのある音が出る上に、真っ直ぐオカリナを持って吹くため姿勢が楽である。
【０００４】
このようなオカリナは、古来より粘土で作られて土笛として親しまれてきたが、近年になって、例えば特許文献１に示されるように（但しバランス式ではないが）、型を利用して成型するようにしたものも考案されている。
【特許文献１】特開２００１−２１５９５５
【考案の開示】
【考案が解決しようとする課題】
【０００５】
ところで、真にオカリナを身近で親しみ易いものにするためには、単に初心者等にも吹きやすいという利点に止どまらず、可能であれば製作から携われることが、構造の理解を深め且つ自作のオカリナに愛着を抱くことにもなって望ましい。
【０００６】
しかしながら、オカリナを粘土で作る工程は、一般の者にとって必ずしも容易ではない。それは粘土が熱処理した後でないと音の出方を確かめられず、また熱処理により指穴や歌口、吹き口の開口等の位置・大きさが変形し、熱処理前後の因果関係が把握し難いためである。また、型を用いる場合にも型自体を作るのは大変であるし、型によっても依然として熱処理による誤差発生の問題は残る。要は、従来のオカリナが主として粘土で作られている点、その形態がリコーダ等とは異なり中空の異形な閉管形状をなしている点に、作り難い主たる原因があると考えられる。
【０００７】
本考案は、このような見地に立ってなされたものであって、素材に紙片を採用し、これを適切に組み立てて、オカリナとして遜色のないバランス式紙製オカリナを実現することを目的としている。
【課題を解決するための手段】
【０００８】
本考案は、かかる目的を達成するために、次のような手段を講じたものである。
【０００９】
すなわち、本考案の紙製オカリナは、紙片を組み立てることにより、周壁、頂壁及び底壁からなる内空のほぼ閉じた柱状の共鳴胴部を構成し、その共鳴胴部の周壁に歌口及び複数の指穴を開口させるとともに、共鳴胴部の一部に吹き口を連設して吹き口の開口端から歌口までの間に気道を形成するようにしたものである。そして、周壁を閉じるための紙片同士の継目が周壁の正面、側面及び裏面の何れの面の中央部にも位置しないようにし、これにより周壁の正面に歌口を、側面に親指以外の指により開閉される指穴を、裏面に親指により開閉される指穴を、それぞれ継目を避けて設けたことを特徴とする。
【００１０】
このように構成すれば、紙を用いても中空体状をなす共鳴胴部を有効に実現することができる。そして、紙であれば指穴や歌口等の大きさや位置などが組立て前後で変化することがないので、所望の音色や音程等が得られるように各部を調整し易いものとなる。その際、紙片の継目が周壁の各面の中央部を避けて辺や辺近傍に継目が存するようにしているので、親指により開閉される指穴を含めて歌口及び複数の指穴を各面に適切に開口させることが可能となる。
【００１１】
具体的な実施の態様としては、側面に左右の指それぞれ２本により開閉される指穴を２列に複数個づつ設け、裏面に左の親指により開閉される１個の指穴を設けるようにした５ホールタイプのものや、側面に左右の指それぞれ２本により開閉される指穴を２列に複数個づつ設け、裏面に左右の親指２本によりそれぞれ開閉される２個の指穴を設けるようにした６ホールタイプのもの等が挙げられる。更に側面左側に指穴を３個設ける７ホールタイプのものも可能である。
【００１２】
共鳴胴部の好ましい形態としては、頂壁及び底壁が台形状をなし、周壁の正面、裏面及び側面がそれぞれ台形の上底、下底及び斜辺に沿った隣接位置に設けられている台形柱状のものや、頂壁及び底壁が円の端部を上弦及び下弦で切り取った部分円状をなし、周壁の正面、裏面及び側面がそれぞれ上弦、下弦及び円弧に沿った隣接位置に設けられている丸形柱状のもの、さらには、頂壁及び底壁が台形のコーナー部を斜辺の一部と下底の一部を結ぶ結線で切り取った六角形状をなし、周壁の正面、裏面及び側面が、それぞれ台形の上底に相当する部位、切り残された下底に相当する部位、切り残された斜辺及び上記結線に相当する部位に沿った隣接位置に設けられている六角柱状のもの等が挙げられる。
【００１３】
空気を入り易くして、良好な音を出せるようにするためには、紙片を組み立てることにより、指穴及び歌口を有する共鳴胴部と、この共鳴胴部に連設される吹き口とを構成するにあたり、吹き口を、外方端より切り込まれた切欠を有する内側紙片を一対の外側紙片によって挟持するように厚み方向に重合させて、切欠の外方端が吹き口の開口端となり、切欠の内方端が歌口のエッジとなるようにし、その際に内側紙片を外側紙片よりも厚肉にし、或いは内側紙片と外側紙片との間にスペーサとして機能する補助紙片を介在させて、吹き口の開口端を拡開させていることが望ましい。
【００１４】
同様の趣旨から、切欠を外方端に向かって逆台形状に拡開させていることが更に好適である。
【００１５】
紙製オカリナとしての耐用性を向上させ、紙で構成しても複数人による共用に支障が生じないようにするためには、上記吹き口が、内空を塞がないようにしてストローを脱着可能な開口寸法を有し、開口を介して吹き口の気道内にストローを挿入した状態で、ストローから歌口のエッジに向かって空気を吹き込めるようにしていることが望ましい。
【００１６】
作り易い上に強度及び音色も確保できるという観点からすれば、紙片を組み立てて周壁、頂壁及び底壁からなる内空のほぼ閉じた共鳴胴部を構成し、その共鳴胴部の周壁に歌口及び複数の指穴を開口させるとともに、共鳴胴部の一部に吹き口を連設して吹き口の開口端から歌口までの間に気道を形成するにあたり、頂壁と周壁との間、及び底壁と周壁との間に糊しろを設けず、それらの突き合わせ辺をテーピングにより被覆していることが望ましい。
【００１７】
さらに、少なくとも紙片の突き合わせ辺を被覆し得る位置（好ましくは歌口、指穴及び吹き口を除き、共鳴胴部及び吹き口の表面全体）にコーティング部を設けておくことが好適である。
【００１８】
音に歪みが生じることを防止してオカリナの適切な音色を確保するためには、紙片を組み立てて周壁、頂壁及び底壁からなる内空のほぼ閉じた共鳴胴部を構成し、その共鳴胴部の周壁に歌口及び複数の指穴を開口させるとともに、共鳴胴部の一部に吹き口を連設して吹き口の開口端から歌口までの間に気道を形成するにあたり、少なくとも周壁の正面及び側面を形成する第１の紙片と、少なくとも頂壁、周壁の裏面及び底壁を形成する第２の紙片とを組み付けて共鳴胴部を構成するようにしておくことが望ましい。
【００１９】
一般の者にも紙製オカリナの組立てを容易ならしめるためには、共鳴胴部を構成するための第１の紙片及び第２の紙片と、この共鳴胴部に付帯される他の紙片とにより紙製オカリナの製作ユニットを準備し、それら第１の紙片及び第２の紙片には指穴となる部分及び歌口を構成する部分が予め加工され、他の紙片には吹き口及び歌口を構成する部分が予め加工されていることが望ましい。
【考案の効果】
【００２０】
本考案は、以上説明した構成であるから、紙を用いてオカリナの中空体状をなす立体構造を有効に実現することができ、その際にオカリナとして遜色のない音域や音色、良好な使い勝手を確保し、一般の者にも簡単かつ廉価に作れるようにした、斬新で実用性の高いバランス式紙製オカリナ及びその製作ユニットを新たに提供することが可能となる。
【考案を実施するための最良の形態】
【００２１】
以下、本考案の幾つかの実施形態を、図面を参照して説明する。
（第１実施形態）
【００２２】
この実施形態の紙製オカリナは、図１に示す第１の紙片Ａ、図２に示す第２の紙片Ｂ、並びに、図３に示す第３の紙片Ｃ、第４の紙片Ｄ及び一対の補助紙片Ｅを、図４のように折り曲げる等して相互に貼り合わせることによって、図５及び図６に示すように、周壁１、頂壁２及び底壁３からなる内空のほぼ閉じた台形柱状の共鳴胴部Ｘを構成し、その共鳴胴部Ｘの一部に吹き口４を連設したものである。
【００２３】
上記紙片Ａ、Ｂ、Ｃ、Ｄ、Ｅは、予めボール紙等にミシン目を設けて使用の際にミシン目を破断することにより取得できるようにしておくことが便利である。
【００２４】
第１の紙片Ａは、図１並びに図４〜図６に示すように、周壁１の正面１１を構成する矩形部Ａ１１の両側に、周壁１の側面１２を構成する矩形部Ａ１２を折り線Ｐ１を介して連設したもので、前記矩形部Ａ１１に歌口５の内側部分を構成するほぼ逆台形状の開口１１ａを形成し、前記矩形部Ａ１２に人差し指及び中指により開閉される一対の指穴（１２ａ、１２ｂ）、（１２ｃ、１２ｄ）をそれぞれ柱軸に対し斜めに配列して設けている。矩形部Ａ１１の上縁には台形状の突出部Ａ４１が一体に設けてあり、これら矩形部Ａ１１及び突出部Ａ４１が本考案の外側紙片Ａａとしての役割を担っている。
【００２５】
第２の紙片Ｂは、図２並びに図４〜図６に示すように、周壁１の裏面１３を構成する矩形部Ｂ１３の上下に頂壁２を構成する台形部Ｂ２及び底壁３を構成する台形部Ｂ３を折り線Ｐ２、Ｐ３を介して連設したもので、前記矩形部Ｂ１３に左親指により開閉される指穴１３ａを中央から左側へ偏倚した部位に１つ形成している。この矩形部Ｂ１３の両側には、前述した第１の紙片Ａの矩形部Ａ１２との接着箇所となる糊しろｂ１が折り線Ｐ４を介して設けてあり、また台形部Ｂ２の先端には、外側紙片Ａａの一部である前記突出部Ａ４１との接着箇所となる糊しろｂ２が設けてある。
【００２６】
第３の紙片Ｃは本考案の内側紙片としての役割を担い、第４の紙片Ｄは前記外側紙片Ａａとともに本考案のもう１つの外側紙片としての役割を担うもので、図３〜図６に示すように、前記第１の紙片Ａの矩形部Ａ１１にほぼ対応する形状の矩形対応部Ｃ１１、Ｄ１１及び前記第１の紙片Ａの突出部Ａ４１にほぼ対応する形状の台形対応部Ｃ４１、Ｄ４１を一体に有しており、切り取り線Ｐ０を介して相互に連設されている。そして、第３の紙片Ｃの台形対応部Ｃ４１の上縁から矩形対応部Ｃ１１の上縁よりもやや下方に至る部位に亘って、外方端１１ｂ１が吹き口４の開口端４ａとなり内方端１１ｂ２が歌口５のエッジ５ａとなる切欠１１ｂを設けている。この切欠１１ｂは内方端１１ｂ２から外方端１１ｂ１に向かって拡開する逆台形状をなしている。エッジ５ａは、図に斜線で示すように両面をテーパ状に削って鋭利にしてあり、切欠１１ｂ等が逆台形状をなしていることとも相まって、吹き口４の開口端４ａから吹き込まれた空気の流速を確保しつつ、歌口５の内外への空気の振り分けがスムーズになされるようにしている。また、第４の紙片Ｄには、矩形対応部Ｄ１１の上縁に始まりそのやや下方に終わる逆台形状の開口１１ｃが、歌口５の一部を形成するものとして設けてある。これら第３の紙片Ｃ及び第４の紙片Ｄは、組立て前に切り取り線Ｐ０に沿って切断される。
【００２７】
一対の補助紙片Ｅは、第３の紙片Ｃのうち切欠１１ｂの両側に位置する台形対応部Ｃ４１に対応する形状をなしている。この補助紙片Ｅの下端近傍には、後述するように第４の紙片Ｄが添接する側にテーパ面ＴＰが設けてある。このテーパ面ＴＰは削って設けてもよいし押し潰して設けても構わない。
【００２８】
なお、折り線Ｐ１、Ｐ２、Ｐ３には、少なくとも組立て前に山となる側の面に強度等に支障のない範囲で厚み方向にハーフカットを施して折り曲げ易くしておくとよい。また、組立前に共鳴胴部Ｘの内面となる部位にニス等の防水用のコーティングを施し、完成後に息を吹き込んでも内面に唾が浸み込んで音の出が悪くなることを防止しておくこと等が有効である。
【００２９】
次に、本実施形態の組立手順を説明する。先ず第１の紙片Ａにおいて、矩形部Ａ１１と矩形部Ａ１２とを折り線Ｐ１に沿って内側に所定角度谷折りし、また第２の紙片Ｂにおいて、矩形部Ｂ１３と台形部Ｂ２、Ｂ３とを折り線Ｐ２、Ｐ３に沿って内側に略９０度谷折りする（図４参照）。そして、これらを突き合わせる。その際、糊しろｂ１に接着剤を塗布して第１の紙片Ａの矩形部Ａ１２の内面に貼着するとともに、第１の紙片Ａの矩形部Ａ１２の上下の小口及び第２の紙片Ｂの糊しろｂ２にボンドを塗布して台形部Ｂ２、Ｂ３の斜辺を矩形部Ａ１２の小口に、また糊しろｂ２を外側紙片Ａａの突出部Ａ４１にそれぞれ貼着し、全体として図５及び図６に示す台形柱状の共鳴胴部Ｘを構成して、その形状を仮保持する。
【００３０】
さらに、周壁１の正面１１側に位置する外側紙片Ａａに内側紙片Ｃ及びもう一つの外側紙片Ｄを、これら内側紙片Ｃ及び外側紙片Ｄの間に補助紙片Ｅを介在させた状態で厚み方向に重合させ、これにより図５〜図７に示す吹き口４を構成して、切欠１１ｂの外方端１１ｂ１に位置する吹き口４の開口端４ａから切欠１１ｂの内方端１１ｂ２に位置する歌口５のエッジ５ａまでの間に気道ＡＬを形成する。吹き口４の開口端４ａとなる切欠１１ｂの開口端１１ｂ１は、補助紙片Ｅ、突出部Ａ４１及び台形部Ｄ４１によって包囲されることになるが、この開口端１１ｂ１は前記補助紙片Ｅがスペーサとして介在することによって厚み方向に、また切欠１１ｂが逆台形状をなしていることによって幅方向にそれぞれ拡開され、その拡開の程度は、図１１及び図１２に示すように直径５ｍｍ程度の市販のプラスチック製ストローＳを若干扁平にして挿入できる程度とされる。この補助紙片Ｅは第４の紙片Ｄと第３の紙片Ｃの間に部分的に存するだけであり、この補助紙片Ｅの存しない部位においては第４の紙片Ｄは図７に示すように第３の紙片Ｃに直接添接されるため、第４の紙片Ｄは途中第３の紙片Ｃに近づく方向に屈曲することになるが、前述した補助紙片Ｅのテーパ面ＴＰはその屈曲をガイドするガイド面となる（図３、図４及び図７参照）。このような屈曲部が存しても、歌口５のエッジ５ａが吹き口４の開口端４ａから見てほぼ真ん中に位置すれば特に音の出方に問題が生ずることはないことは確認できている。歌口５は切欠１１ｂ及び開口１１ａ、１１ｃから構成されるのは前述したところであり、開口１１ａ、１１ｃは切欠１１ｂの内方端１１ｂ２（つまり歌口５のエッジ５ａ）よりも下方まで開口している。エッジ５ａに突き当たった空気を両側に振り分けて流すためである。
【００３１】
吹き口４の組立て手順としては、外側紙片Ａａに対して、内側紙片Ｃ、補助紙片Ｅ及びもう一方の外側紙片Ｄを順次貼り付けてもよいし、予め外側紙片Ｄと内側紙片Ｃの間に補助紙片Ｅをサンドイッチした状態で相互に貼り付け、これを外側紙片Ａａに貼り付けるようにしても構わない。
【００３２】
また、図５→図８→図９に示すように、周壁１の側面１２の上縁と頂壁２の斜辺との突き合わせ辺ｘ１、及び、周壁１の側面１２の下縁と底壁３の斜辺との突き合わせ辺ｘ２をそれぞれ通るようにテープＴを部分的に巻き回して、共鳴胴部Ｘの強度を確保するとともにそれらの突き合わせ辺ｘ１、ｘ２に存する隙間を閉塞する。この作業は外側紙片Ａａに対して第３の紙片Ｃ、第４の紙片Ｄ及び補助紙片Ｄを貼り付ける前に行っても構わない。
【００３３】
最後に、歌口５、指穴１２ａ、１２ｂ、１２ｃ、１２ｄ、１３ａ及び吹き口４の開口端４ａを除き、共鳴胴部Ｘ及び吹き口４の表面全体に柿渋等によるコーティング部Ｃ（図１０における網掛け部分）を形成すれば、全工程が完了される。
【００３４】
このように構成される紙製オカリナは、図１１及び図１２に矢印で示すように吹き口４の開口端４ａにストローＳを挿し込んで息を吹き込むと、ストローＳから直接気道ＡＬに空気が送り込まれ、この空気が切欠１１ｂのエッジ５ａに至って、エッジ５ａの両側に位置する一対の外側紙片Ａａ、Ｄの開口１１ａ、１１ｃ側に分流し、その際の共鳴胴部Ｘ内の空気の振動で歌口５から指の押さえに応じた音が出力される。音が出るメカニズムは既知のオカリナを通じて周知のものであり、紙製であっても空気の流れや振動は通常のオカリナと殆ど変わることがない。共鳴胴部Ｘの密閉性が高ければ、通常のオカリナに比して遜色のない音色が得られることが種々の試作を通じて確認できている。
【００３５】
因みに、図示例のものは、四角柱の頂壁２から底壁３までの高さ寸法が５６ｍｍ、頂壁２及び底壁３を構成する台形部Ｂ２、Ｂ３の上底が３０ｍｍ、下底が４５ｍｍ、突出部Ａ４１の突出量（吹き口４の突出量）が１７．５ｍｍであり、Ｃ管として機能する。勿論、高さ寸法を大きくすれば音が全体として低音側にシフトし、少なくとも高さ寸法及び平断面積が同じであれば後記実施形態のように頂板２や底板３の形が変わっても音の高さが変化しないことが確認できている。この性質に基づけば、各部の寸法を調整して紙製オカリナをＤ管やＦ管、Ｇ管などとして構成したり、吹き易い形状や作り易い形状の共鳴胴部に変更すること等も容易に可能となる。
【００３６】
以上のように、本実施形態の紙製オカリナは、紙を用いても中空体状の共鳴胴部Ｘを有効に構成することができる。そして、紙であれば熱処理を行う場合のように高さや平断面等の大きさ、指穴や歌口の位置などが設計段階と完成状態とで変化することがないので、所望の音色や音程等が得られるように各部の調整を行い易いものとなる。その上、紙片により周壁１を構成する際、紙片Ａ、Ｂの継目が周壁１の辺（折り線Ｐ４に相当する部位）ないしその近傍に位置して、正面１１、側面１２及び裏面１３の何れの面の中央部にも位置しないので、かかる継目に邪魔されることなく、周壁１の正面１１に歌口５を、側面１２に親指以外の指により開閉される指穴１２ａ、１２ｂ、１２ｃ、１２ｄを、裏面１３に親指により開閉される指穴１３ａを、それぞれ適切に開口させることができる。
【００３７】
したがって、紙片Ａ、Ｂ等で製作しても、５ホールの指穴を有する紙製オカリナを有効に構成することができ、オカリナとして遜色のない音色と、種々の曲を演奏する上で必要な音域とを有効に確保することができる。例えばＣ管で考えると、４ホールの場合、音域は「Ｃ」から１オクターブ上の「Ｃ」までだが、５ホールの場合は、音域が「Ｃ」から１オクターブ上のＣより２度高い「Ｄ」まで広がることになるので、音域が１つ広がるだけで演奏できる曲が格段に増え、高い実用性を備えることとなる。
【００３８】
また、頂壁２及び底壁３が台形状をなし、周壁１の正面１１、裏面１３及び側面１２がそれぞれ台形２の上底、下底及び斜辺に沿った隣接位置に設けられているため、裏面１３の面積を十分に確保して親指で開閉する指穴１３ａを的確に形成することができる。また、これと同時に、側面１２の角度が奏者に向かって平面視ハの字形に広がっており、運指に適した角度になるため、指穴１２ａ、１２ｂ、１２ｃ、１２ｄを的確に開閉できる状態を確保し易いものとなる。この紙製オカリナを、裏面１３を奏者側に向け、吹き口４が口元に位置するように斜めに傾斜させて把持した状態で、指穴１２ｂが指穴１２ａを通り柱軸に平行な線Ｌ（図５参照）よりも上方に位置し、指穴１２ｄも指穴１２ｃに対して同様の関係に立つので、人差し指で指穴１２ａ、１２ｃを押さえた状態で、中指は自然に指穴１２ｂ、１２ｄを押さえ易い位置に来ることになり、この点も運指に適したものとなる。
【００３９】
特に、内側紙片Ｃを一対の外側紙片Ａａ、Ｄによって挟持するように厚み方向に重合させて吹き口４を構成するに際し、内側紙片Ｃと外側紙片Ｄとの間にスペーサとして機能する補助紙片Ｅを介在させ、これにより吹き口４の開口端４ａを拡開させているので、空気が入り易くなって、しっかりとした良好な音を出すことができ、また同じ厚みのボール紙等を利用してもこのような拡開した開口４ａを簡単に形成することができる。
【００４０】
切欠１１ｂの外方端１１ｂ１を内方端１１ｂ２に比して逆台形状に拡開させている点も、空気を入り易くして良好な音を確保する上で奏功しているものである。
【００４１】
さらに、上記吹き口４の開口端４ａである切欠１１ｂの外方端１１ｂ１が、内空を塞ぐことなくストローＳを挿し込める開口寸法を有し、その開口端１１ｂにストローＳを挿入してそこから気道ＡＬに空気を吹き込み得るようにしており、ストローＳを使えば吹き口４を直接くわえずとも済むので、吹き口４が唾で濡れて使用に耐えなくなるという不都合や頻繁に買い換えることによる無駄等が解消され、紙製でありながら長期に亘る使用に耐えるとともに、複数人で使用しても差し障りが生じることを有効に回避することができる。
【００４２】
さらに、共鳴胴部Ｘを構成するに際して、頂壁２と周壁１との間、及び底壁３と周壁１との間に糊しろを設けておらず、それらの突き合わせ辺ｘ１、ｘ２をテーピングにより被覆しているので、糊しろを極力少なくして組立工程の簡素化、組立時間の短縮、所要の強度確保を図ることができるとともに、紙片を組み立てた際に突き合わせ辺ｘ１、ｘ２を確実に封止して隙間からの音漏れを的確に防止することができる。したがって、歌口５を構成する切欠１１ｂを外方端１１ｂ１に向かって逆台形状に拡開させ、他の開口１１ａ、１１ｃも同様の逆台形状にしていることともあいまって、紙で作っても音がかすれることがなく、シャープな切れのある音色を期待できるものとなる。
【００４３】
さらにまた、歌口５、指穴１２ａ、１２ｂ、１２ｃ、１２ｄ、１３ａ及び吹き口４の開口端４ａを除き、共鳴胴部Ｘ及び吹き口４の表面全体に柿渋等によるコーティング部Ｃを設けているので、上述した音漏れ防止の実効が図られる。この場合、コーティングの一環として個々人の好みで共鳴胴部Ｘの各面に絵付け等を行えば、より愛着のある紙製オカリナを自作することができる。特に、柿渋を重ね塗りすると表面が木の皮のように硬質化するので、素材が紙であっても共鳴胴部Ｘの強度がより向上する上に、指の腹で指穴１２ａ、１２ｂ、１２ｃ、１２ｄ、１３ａを容易に密封することができ、指押さえをより簡単、的確に行い得るものとなる。なお、小口に塗布したボンドも紙片の突き合わせ辺ｘ１、ｘ２を被覆するので、本発明のコーティング部として機能している。
【００４４】
以上に加えて、この実施形態では、少なくとも周壁１の正面１１及び側面１２を形成する第１の紙片Ａと、少なくとも頂壁２、周壁１の裏面１３及び底壁３を形成する第２の紙片Ｂとを組み付けて共鳴胴部Ｘを構成しているので、１つの紙片を折り曲げて共鳴胴部を作る場合に比して、ねじれが少なく、音のずれや歪み等の生じにくいものにすることができる。
【００４５】
そして、共鳴胴部Ｘを構成するための第１の紙片Ａ及び第２の紙片Ｂと、この共鳴胴部Ｘに付帯される他の紙片たる第３の紙片Ｃ、第４の紙片Ｄ及び補助紙片Ｅとからなる紙製オカリナの製作ユニットを用意して、第１の紙片Ａ及び第２の紙片Ｂに指穴１２ａ、１２ｂ、１２ｃ、１２ｄ、１３ａ及び歌口５を構成する開口１１ａを予め加工し、他の紙片Ｃ〜Ｅには少なくとも歌口５を構成する開口１１ｃならびに吹き口４及び歌口５を構成する切欠１１ｂを予め加工しているので、初心者にも簡単に組立て可能な紙製オカリナの製作素材として利用に供することができる。
【００４６】
なお、吹き口４の開口端４ａを拡開させる構造として、上記実施形態のような補助紙片Ｅを用いる代わりに、内側紙片Ｃを外側紙片Ａａ、Ｄよりも厚肉にしても同様の効果を得ることができる。但し、この場合にはボール紙等に厚みの異なるものを使用しなければならないので、共通のボール紙等を使用したい場合には補助紙片Ｅを用いる方が有利である。
【００４７】
また、図１１に想像線で示すように、裏面に右の親指によって開閉される指穴１３ｂを追加して、６ホールの紙製オカリナとすることも容易である。これによれば音域を「Ｃ」から１オクターブ上のＣより３度高い「Ｅ」まで広げることができるので、より上級者向けの紙製オカリナを簡単に提供することができる。共鳴胴体Ｘの裏面１３にはこれを設けるに足る十分な面積が確保されている。
【００４８】
さらに、コーティング部として、ニスを塗ってもよい。この場合、吹き口４の開口端４ａ付近にはオリーブオイルなど人体に害のないものを塗っておくことが肝要である。
【００４９】
また、ストローＳの径は必ずしも吹き口４の開口端４ａの大きさに密接に対応している必要はなく、やや小さ目のものであっても構わない。また、ストローＳは必ずしも潰した状態で差し込む必要はなく、径の小さいストローＳをそのまま変形させずに差し込んで用いること等も可能である。
【００５０】
さらにまた、ストローを使用しない場合には、吹き口４の開口端４ａの近傍にテープ等を巻き付けて使用することも勿論可能である。
（第２実施形態）
【００５１】
この実施形態の紙製オカリナは、頂壁、底壁及び周壁の形状（すなわち共鳴胴部の形状）、並びに、一部の指穴の数が前記第実施形態とは異なる。以下、前記実施形態と対比しつつ本実施形態の構成等について説明する。
【００５２】
図１３に示す第１の紙片Ｆは、前記実施形態の第１の紙片Ａと同様、一対の矩形部Ｆ１２が矩形部Ｆ１１の両側に折り線Ｑ１を介して連設されている。矩形部Ｆ１１の上方突出部Ｆ４１は前記実施形態のような台形状ではなく、矩形部Ｆ１１と等幅をなしており、これら矩形部Ｆ１１及び突出部Ｆ４１が本考案の外側紙片Ｆａとしての役割を担っている。矩形部Ｆ１２に設けられた指穴１１２ａ、１１２ｂ、１１２ｃ、１１２ｄ及び矩形部Ｆ１１に設けられた開口１１１ａの形状や位置関係、大きさ等は前記実施形態における矩形部Ａ１２の指穴１２ａ、１２ｂ、１２ｃ、１２ｄ及び矩形部Ａ１１の開口１１ａと同様である。
【００５３】
図１４に示す第２の紙片Ｇは、矩形部Ｇ１３に折り線Ｑ２、Ｑ３、Ｑ４を介して頂壁１０２を構成する部分円Ｇ２、底壁１０３を構成する部分円Ｇ３及び糊しろｇ１を連設しており、前記実施形態が頂壁２及び底壁３を台形部Ｂ２、Ｂ３により構成していた点で構造を異にする。部分円Ｇ２、Ｇ３は、円の端部を上弦Ｑ５及び下弦（すなわち折り線Ｑ２、Ｑ３）で切り取った形状をなしている。この第２の紙片Ｇの矩形部Ｇ１３には、左右の親指により開閉される２個の指穴１１３ａ、１１３ｂが設けてあり、一方の指穴１１３ａの位置は前記実施形態における指穴１３ａと同様であり、もう一方の指穴１１３ｂは右下方に偏倚させて設けてある。
【００５４】
図１５に示す第３の紙片Ｈ、第４の紙片Ｉ及び補助紙片Ｊは、前記実施形態における第３の紙片Ｃ、第４の紙片Ｄ及び補助紙片Ｅと基本的に同様の構造及び機能を有する。すなわち、第３の紙片Ｈは本考案の内側紙片の役割を担うべく、歌口５のエッジ１０５ａとなる内方端１１１ｂ２から吹き口１０４の開口端１０４ａとなる外方端１１１ｂ１に向かって拡開する逆台形状の切欠１１１ｂを有し、第４の紙片Ｉは本考案のもう一方の外側紙片としての役割を担うべく、歌口１０５を構成する開口１１１ｃを有する。一対の補助紙片Ｊが前記実施形態と同様にスペーサとして介在される点も同様である。但し、第３の紙片Ｈ及び第４の紙片Ｉはともに、第１の紙片Ｆの外側紙片Ｆａの形状に対応して全体が矩形状をなしており、前記実施形態のような台形対応部は存しない。エッジ１０５ａの両面がテーパ状に削ってある点、両紙片Ｈ、Ｉが組立て前に切り取り線Ｑ０に沿って切り取られる点、補助紙片Ｊにテーパ面ＴＰが設けられている点等も前記と同様である。
【００５５】
組立は、図１６に示すように、第１の紙片Ｆの折り線Ｑ１よりも外側に位置する矩形部Ｆ１２を予め湾曲させ、これに第２の紙片Ｇの頂壁Ｇ２、底壁Ｇ３及び糊しろｇ１を折り線Ｑ２、Ｑ３、Ｑ４を介し折り曲げて突き合わせる。その際、適宜の芯材に沿って矩形部Ｆ１２を巻いて濡れ布巾で包んだ状態にしておくと、矩形部Ｆ１２が乾燥しても湾曲状態を保持する癖を付けることが容易である。或いは、机のコーナーのＲ部に押し付けて湾曲状態を得るようにすることもできる。接着剤の塗布部位は、前記実施形態と同様、糊しろｇ１、ｇ２及び湾曲させた矩形部Ｆ１２の上下の小口であり、糊しろｇ１を湾曲した矩形部Ｆ１２の内面に貼り付け、頂壁Ｇ２及び底壁Ｇ３の円弧部分の周縁を湾曲した矩形部Ｆ１２の小口に貼り付け、糊しろｇ２を外側紙片Ｆａに貼り付ける。
【００５６】
そして、第１の紙片Ｆの外側紙片Ｆａに対して第３の紙片Ｈ、補助紙片Ｊ及び第４の紙片Ｉを前記実施形態と同様にして貼り合わせる。
【００５７】
この結果、図１７に示すように、周壁１０１の正面１１１、裏面１１３及び湾曲した側面１１２がそれぞれ頂壁１０２及び底壁１０３の上弦Ｑ５、下弦Ｑ２及び円弧に沿った隣接位置に設けられて、内空のほぼ閉じた丸形柱状の共鳴胴部Ｙが構成され、その共鳴胴部Ｙの周壁１０１に歌口１０５及び複数の指穴１１２ａ、１１２ｂ、１１２ｃ、１１２ｄ、１１３ａ、１１３ｂが開口するとともに、共鳴胴部Ｙの頂壁１０２の一部に吹き口１０４が連設されて、吹き口１０４の開口端１０４ａから歌口１０５までの間に気道ＡＬ２が形成されることとなる。
【００５８】
また、吹き口１０４を構成する前後において、前記実施形態と同様に、周壁１０１の側面１１２の上縁と頂壁１０２の斜辺との突き合わせ辺ｙ１、及び、周壁１０１の側面１１２の下縁と底壁１０３の斜辺との突き合わせ辺ｙ２をそれぞれ通るようにテープを部分的に巻き回して、共鳴胴部Ｙの強度を確保するとともにそれらの突き合わせ辺ｙ１、ｙ２に存する隙間を閉塞する。
【００５９】
そして最後に、歌口１０５、指穴１１２ａ、１１２ｂ、１１２ｃ、１１２ｄ、１１３ａ、１１３ｂ及び吹き口１０４の開口端１０４ａを除き、共鳴胴部Ｙ及び吹き口１０４の表面全体に柿渋等によるコーティング部を形成すれば、全工程が完了される。
【００６０】
このように構成される共鳴胴部Ｙも、周壁１０１を閉じるための紙片Ｆ、Ｇ同士の継目が折り線Ｑ４によって形成される辺に位置して、周壁１０１の正面１１１、側面１１２及び裏面１１３の何れの面の中央部にも位置しない。このため、周壁１０１の正面１１１の歌口１０５、側面１１２における親指以外の指により開閉される指穴１１２ａ、１１２ｂ、１１２ｃ、１１２ｄ、裏面１１３における親指により開閉される指穴１１３ａ、１１３ｂは、何れも継目を避けて設けられた状態となる。
【００６１】
また、吹き口１０４の開口端１０４ａも前記実施形態と同様、補助紙片Ｊを介在させることによって、また切欠１１１ｂを逆台形状にすることによって拡開されているため、前記実施形態において図１１及び図１２等で示したと同様、内空を塞がないようにしてストローを挿入し、ストローから気道ＡＬ２を介して歌口１０５のエッジ１０５ａに向かって空気を吹き込むことが可能となる。
【００６２】
以上のようにして、この第２実施形態の紙製オカリナは、共鳴胴部Ｙが丸形柱状をなす点で前記実施形態の台形柱状をなす共鳴胴部Ｘとは形態が異なるものの、基本的に前記実施形態と全く同様の作用効果を奏する。加えて、共鳴胴部Ｙが円形柱状であると、側面１１２のうち正面１１１に近い位置にあって緩やかに湾曲する部位に指穴１１２ａ、１１２ｂ、１１２ｃ、１１２ｄが開口し、指の腹が奏者側を向く方向から指押さえを行うことができるので、持ち易くて一層演奏し易い状態が得られるものとなる。さらに、この紙製オカリナは６ホールであるので、音域が「Ｃ」から１オクターブ上のＣより３度高い「Ｅ」まで広がり、一層幅広い曲目が演奏可能になる点で、より上級者向けの紙製オカリナとしての利用価値を有することとなる。更に音域が「Ｃ」から１オクターブ上のＣより４度高い「Ｆ」まで広げられる７ホールタイプの実現も可能である。
【００６３】
因みに、図示例のものは、丸形柱の頂壁１０２から底壁１０３までの高さ寸法が前記実施形態と同様に５６ｍｍ、頂壁１０２及び底壁１０３の上弦が１６ｍｍ、下弦が３８ｍｍ、周壁１０１の側面１１２の上縁及び下縁が３７ｍｍ、突出部Ｋ４１の突出量（吹き口１０４の突出量）が前記実施形態と同様に１７．５ｍｍであり、同じくＣ管として機能するようになっている。これを適宜の設計変更によりＤ管、Ｆ管、Ｇ管等にできることも既述のとおりである。
（第３実施形態）
【００６４】
この実施形態の紙製オカリナは、頂壁、底壁及び周壁の形状（すなわち共鳴胴部の形状）が前記第１実施形態及び第２実施形態とは異なり、一部の指穴の数が前記第１実施形態とは異なる。以下、主として前記第１実施形態と対比しつつ本実施形態の構成等について説明する。
【００６５】
図１８に示す第１の紙片Ｋは、前記第１実施形態の第１の紙片Ａと同様、一対の矩形部Ｋ１２が矩形部Ｋ１１の両側に折り線Ｒ１を介して連設されているが、更にこれらの矩形部Ｋ１２の外側にそれぞれ折り線Ｒ６を介して矩形部Ｋ１３が連設されている。矩形部Ｋ１１の上方突出部Ｋ４１は前記第１実施形態と同様の台形状をなしており、これら矩形部Ｋ１１及び突出部Ｋ４１が本考案の外側紙片Ｋａとしての役割を担っている。矩形部Ｋ１２に設けられた指穴２１２ａ、２１２ｂ、２１２ｃ、２１２ｄ及び矩形部Ｋ１１に設けられた開口２１１ａの形状や位置関係、大きさ等は前記第１実施形態における矩形部Ａ１２の指穴１２ａ、１２ｂ、１２ｃ、１２ｄ及び矩形部Ａ１１の開口１１ａと同様である。
【００６６】
図１９に示す第２の紙片Ｌは、矩形部Ｌ１３に折り線Ｒ２、Ｒ３、Ｒ４を介して頂壁２０２を構成する六角部Ｌ２、底壁２０３を構成する六角部Ｌ３及び糊しろｌ１を連設しており、前記第１実施形態が頂壁２及び底壁３を台形部Ｂ２、Ｂ３により構成していた点において構造を異にする。六角部Ｌ２、Ｌ３は、台形のコーナー部を斜辺ｕの一部と下底（すなわち折り線Ｒ２）の一部を結ぶ結線ｖで切り取った六角形状をなす。この第２の紙片Ｌの矩形部Ｌ１３には、左右の親指により開閉される２個の指穴２１３ａ、２１３ｂが設けられている。一方の指穴２１３ａの位置は前記実施形態における指穴１３ａと同様であり、もう一方の指穴２１３ｂは右下方に偏倚させて設けてある。
【００６７】
図２０に示す第３の紙片Ｍ、第４の紙片Ｎ及び補助紙片Ｏは、前記第１実施形態における第３の紙片Ｃ、第４の紙片Ｄ及び第５の紙片Ｅと基本的に同様の構造及び機能を有する。すなわち、第３の紙片Ｈは本考案の内側紙片の役割を担うべく、歌口２０５のエッジ２０５ａとなる内方端２１１ｂ２から吹き口２０４の開口端２０４ａとなる開口端２１１ｂ１に向かって拡開する逆台形状の切欠２１１ｂを有し、第４の紙片Ｎは本考案のもう一方の外側紙片としての役割を担うべく、歌口２０５を構成する開口２１１ｃを有する。一対の補助紙片Ｏが前記第１実施形態と同様にスペーサとして介在される点も同様である。矩形部Ｍ１１、Ｎ１１の上に台形対応部Ｍ４１、Ｎ４１が設けられている点、エッジ２０５ａの両面がテーパ状に削ってある点、両紙片Ｍ、Ｎが組立て前に切り取り線Ｒ０に沿って切り取られる点、補助紙片Ｏにテーパ面ＴＰが設けられている点等も前記と同様である。
【００６８】
組立は、図２１に示すように、第１の紙片Ｋの折り線Ｒ１よりも外側に位置する矩形部Ｋ１２、Ｋ１３を予め折り線Ｒ１、Ｒ６において屈曲させ、これに第２の紙片Ｌの頂壁Ｌ２、底壁Ｌ３及び糊しろｌ１を折り線Ｒ２、Ｒ３、Ｒ４を介し折り曲げて突き合わせる。接着剤の塗布部位は、前記第１実施形態に対応させて、糊しろｌ１、ｌ２及び屈曲させた矩形部Ｌ１２、Ｌ１３の上下の小口であり、糊しろｌ１を屈曲した矩形部Ｋ１３の内面に貼り付け、頂壁Ｌ２及び底壁Ｌ３の斜辺ｕに相当する部位及び結線ｖに相当する部位を屈曲した矩形部Ｋ１２、Ｋ１３の上下の小口に貼り付け、糊しろｌ２を外側紙片Ｋａに貼り付ける。
【００６９】
そして、第１の紙片Ｋの外側紙片Ｋａに対して第３の紙片Ｍ、補助紙片Ｏ及び第４の紙片Ｎを前記第１実施形態と同様にして貼り合わせる。
【００７０】
この結果、図２２に示すように、周壁２０１の正面２１１、裏面２１３及び側面２１２が、それぞれ台形の上底Ｒ５に相当する部位、切り残された下底Ｒ２に相当する部位、切り残された斜辺ｕ及び上記結線ｖに相当する部位に沿った隣接位置に設けられて、内空のほぼ閉じた六角柱状の共鳴胴部Ｚが構成され、その共鳴胴部Ｚの周壁２０１に歌口２０５及び複数の指穴２１２ａ、２１２ｂ、２１２ｃ、２１２ｄ、２１３ａ、２１３ｂが開口するとともに、共鳴胴部Ｚの頂壁２０２の一部に吹き口２０４が連設されて、吹き口２０４の開口端２０４ａから歌口２０５までの間に気道ＡＬ３が形成されることとなる。
【００７１】
また、吹き口２０４を構成する前後において、前記第１実施形態と同様に、周壁２０１の側面２１２の上縁と頂壁２０２の斜辺ｕ及び結線ｖに相当する部位との突き合わせ辺ｚ１、及び、周壁２０１の側面２１２の下縁と底壁２０３の斜辺ｕ及び結線ｖに相当する部位との突き合わせ辺ｚ２をそれぞれ通るようにテープを部分的に巻き回して、共鳴胴体Ｚの強度を確保するとともにそれらの突き合わせ辺ｚ１、ｚ２に存する隙間を閉塞する。
【００７２】
そして最後に、歌口２０５、指穴２１２ａ、２１２ｂ、２１２ｃ、２１２ｄ、２１３ａ、２１３ｂ及び吹き口２０４の開口端２０４ａを除き、共鳴胴部Ｚ及び吹き口２０４の表面全体に柿渋等によるコーティング部を形成すれば、全工程が完了される。
【００７３】
このように構成される共鳴胴部Ｚも、周壁２０１を閉じるための紙片Ｋ、Ｌ同士の継目が折り線Ｒ４によって形成される辺に位置して、周壁２０１の正面２１１、側面２１２及び裏面２１３の何れの面の中央部にも位置しない。このため、周壁２０１の正面２１１の歌口２０５、側面２１２における親指以外の指により開閉される指穴２１２ａ、２１２ｂ、２１２ｃ、２１２ｄ、裏面２１３における親指により開閉される指穴２１３ａ、２１３ｂは、何れも継目を避けて設けられた状態となる。
【００７４】
また、吹き口２０４の開口端２０４ａも前記第１実施形態と同様、補助紙片Ｊを介在させることによって、また切欠２１１ｂを逆代形状にすることによって拡開されているため、前記第１実施形態において図１１及び図１２等で示したと同様、内空を塞がないようにしてストローを挿入し、ストローから気道ＡＬ３を介して歌口２０５のエッジ２０５ａに向かって空気を吹き込むことが可能となる。
【００７５】
以上のようにして、この第３実施形態の紙製オカリナは、共鳴胴部Ｚが六角柱状をなす点で前記第１実施形態の台形柱状をなす共鳴胴部Ｘ及び前記第２実施形態の丸形柱状をなす共鳴胴部Ｙとは形態が異なるものの、基本的に前記両実施形態と全く同様の作用効果を奏するものである。加えて、共鳴胴部Ｚが六角柱状であると、前記第１実施形態の台形柱状のように共鳴胴部Ｘの平断面の一部に鋭角が存することを回避できるので、共鳴胴部Ｚ内に吹き込まれる空気の流れを円滑にして、適切な音色を確保することができる。また、作り易さの点で上記第２実施形態よりも利点を有するものとなる。この紙製オカリナも上記第２実施形態と同様の６ホールであり、それによる効果は既に述べた通りである。なお、６ホールよりも音域が広がる７ホールも実現可能である。
【００７６】
因みに、図示例のものは、六角柱の頂壁２０２から底壁２０３までの高さ寸法が前記両実施形態と同様に５６ｍｍ、頂壁２０２及び底壁２０３の上底に相当する部分が２０ｍｍ、切り残された下底に相当する部分が３５ｍｍ、切り残された斜辺に相当する部分が２５ｍｍ、結線に相当する部分が１０ｍｍであり、同じくＣ管として機能するようになっている。これを適宜の設計変更によりＤ管、Ｆ管、Ｇ管等にできることも既述のとおりである。
【００７７】
以上、本考案の幾つかの実施形態について説明したが、各部の具体的な構成は、上述した実施形態のみに限定されるものではなく、本考案の趣旨を逸脱しない範囲で種々変形が可能である。
【図面の簡単な説明】
【００７８】
【図１】本考案の第１実施形態に係る紙製オカリナを構成する第１の紙片の展開図。
【図２】同第２紙片の展開図。
【図３】同第３紙片、第４紙片及び補助紙片の展開図。
【図４】同紙製オカリナの分解斜視図。
【図５】同紙製オカリナの組立て状態を示す背面側斜視図。
【図６】同紙製オカリナの組立て状態を示す正面側斜視図。
【図７】図５の部分拡大縦断面図。
【図８】同紙製オカリナにテーピングを施す様子を示す斜視図。
【図９】同紙製オカリナにテーピングを施した状態を示す斜視図。
【図１０】同紙製オカリナにコーティング部を形成した状態を示す斜視図。
【図１１】同実施形態の使用状態を示す斜視図。
【図１２】図１１の部分拡大縦断面図。
【図１３】本考案の第２実施形態に係る紙製オカリナを構成する第１の紙片の展開図。
【図１４】同第２紙片の展開図。
【図１５】同第３紙片、第４紙片及び補助紙片の展開図。
【図１６】同紙製オカリナの分解斜視図。
【図１７】同紙製オカリナの組立て状態を示す背面側斜視図。
【図１８】本考案の第３実施形態に係る紙製オカリナを構成する第１の紙片の展開図。
【図１９】同第２紙片の展開図。
【図２０】同第３紙片、第４紙片及び補助紙片の展開図。
【図２１】同紙製オカリナの分解斜視図。
【図２２】同紙製オカリナの組立て状態を示す背面側斜視図。
【符号の説明】
【００７９】
Ａ、Ｆ、Ｋ…第１の紙片
ＡＬ、ＡＬ２、ＡＬ３…気道
Ｂ、Ｇ、Ｌ…第２の紙片
Ｃ、Ｈ、Ｍ…第３の紙片
ＣＴ…コーティング部
Ｄ、Ｉ、Ｎ…第４の紙片
Ｅ、Ｊ、Ｏ…補助紙片
Ｓ…ストロー
Ｔ…テープ
Ｘ、Ｙ、Ｚ…共鳴胴部
１、１０１、２０１…周壁
２、１０２、２０２…頂壁
３、１０３、２０３…底壁
４、１０４、２０４…吹き口
５、１０５、２０５…歌口
１１、１１１、２１１…正面
１２、１１２、２１２…側面
１３、１１３、２１３…裏面
１２ａ、１２ｂ、１２ｃ、１２ｄ、１３ａ…指穴
１１２ａ、１１２ｂ、１１２ｃ、１１２ｄ、１１３ａ、１１３ｂ…指穴
２１２ａ、２１２ｂ、２１２ｃ、２１２ｄ、２１３ａ、２１３ｂ…指穴
【図１】
0003126336.tif 000003
【図２】
0003126336.tif 000004
【図３】
0003126336.tif 000005
【図４】
0003126336.tif 000006
【図５】
0003126336.tif 000007
【図６】
0003126336.tif 000008
【図７】
0003126336.tif 000009
【図８】
0003126336.tif 000010
【図９】
0003126336.tif 000011
【図１０】
0003126336.tif 000012
【図１１】
0003126336.tif 000013
【図１２】
0003126336.tif 000014
【図１３】
0003126336.tif 000015
【図１４】
0003126336.tif 000016
【図１５】
0003126336.tif 000017
【図１６】
0003126336.tif 000018
【図１７】
0003126336.tif 000019
【図１８】
0003126336.tif 000020
【図１９】
0003126336.tif 000021
【図２０】
0003126336.tif 000022
【図２１】
0003126336.tif 000023
【図２２】
0003126336.tif 000024